(57)【要約】【課題】本考案は、折り曲げ可能なシート材で組み立てられて良好な着用感を得ることができる被り面を提供することを目的とするものである。【解決手段】被り面は、所定形状のシート材を折り曲げて立体形状に形成されるとともに着用者の頭部の上側を覆うように装着する上側装着部１と、所定形状のシート材を折り曲げて立体形状に形成されるとともに着用者の顔部の下側を覆うように装着する下側装着部２と、上側装着部１及び下側装着部２の左右後端側にそれぞれ設けられるとともに上側装着部１に下側装着部２を回動自在に取り付ける一対の軸支部３とを備えている。【選択図】図１
0003228098.tif 000002
【実用新案登録請求の範囲】
【請求項１】
所定形状のシート材を折り曲げて立体形状に形成されるとともに着用者の頭部の上側を覆うように装着する上側装着部と、所定形状のシート材を折り曲げて立体形状に形成されるとともに着用者の顔部の下側を覆うように装着する下側装着部と、前記上側装着部及び前記下側装着部の左右後端側にそれぞれ設けられるとともに前記上側装着部に前記下側装着部を回動自在に取り付ける一対の軸支部とを備えている被り面。
【請求項２】
前記上側装着部は、前記シート材を中央部分の折れ線で左右対称に折り曲げて、前頭部の前側に左右両側から突出するように上側前面部が形成されており、前記上側前面部の後端側には折れ線で折り曲げて側頭部に当接する上側側面部が形成されており、前記上側側面部の後端側には折れ線で折り曲げて三角形状の上側取付部が形成されており、前記上側取付部の後端側には折れ線で折り曲げて後頭部に当接する上側後面部が形成されている請求項１に記載の被り面。
【請求項３】
前記下側装着部は、前記シート材を中央部分の折れ線で左右対称に折り曲げて下顎部の前側に左右両側から突出するように下側前面部が形成されており、前記下側前面部の後端側には折れ線で折り曲げて耳部に当接する下側側面部が形成されており、前記下側側面部の後端側には折れ線で折り曲げて三角形状の下側取付部が形成されている請求項１又は２に記載の被り面。
【請求項４】
前記軸支部は、前記上側取付部及び前記下側取付部を重ね合わせて取り付けられた軸支ピンを備えている請求項３に記載の被り面。
【請求項５】
前記下側取付部の後端側には折れ線で折り曲げて前記上側後面部に当接する突出面部が形成されている３又は４に記載の被り面。
【考案の詳細な説明】
【技術分野】
【０００１】
本考案は、頭部に着用する被り面に関し、段ボール材、厚紙、プラスチックシート等の折り曲げ可能なシート材を用いて組み立てた被り面に関する。
【背景技術】
【０００２】
従来より玩具面として、アニメのキャラクタや動物、恐竜等をモチーフにした顔面を覆うお面や頭部に着用する被り面が提案されている。例えば、特許文献１では、シートに記載された展開図を切り抜き折り込むことで、鼻が突出した顔部と２つの耳が突出した頭部からなるキャラクターが立体形成される帽子型被り面が記載されている。また、特許文献２では、軟質合成樹脂シート製で空気を入れる形状を保持するかぶりものおもちゃが掲載されており、頭部に着用した場合に恐竜をモチーフにしたキャラクタの開いた口の部分に顔が露出するような形状に保持される様子を示す撮影画像が掲載されている。
【先行技術文献】
【特許文献】
【０００３】
【特許文献１】特開２０１５−１４２６８９号公報
【特許文献２】意匠登録第１０５９５１２号公報
【考案の概要】
【考案が解決しようとする課題】
【０００４】
上述した特許文献１では、シートを切り抜いて折り込んだ帽子型の被り面が記載されているが、こうした被り面を子供が頭部に着用して遊んでいる場合頭部から外れて落下しやすく、遊びに集中できない、といった課題がある。
【０００５】
また、特許文献２に記載されたかぶりものおもちゃでは、頭部全体に被るようになっているので、頭部から不用意に外れることはないが、頭部に密着するため、熱がこもりやすく長時間着用できない、といった課題がある。
【０００６】
そこで、本考案は、折り曲げ可能なシート材で組み立てられて良好な着用感を得ることができる被り面を提供することを目的とするものである。
【課題を解決するための手段】
【０００７】
本考案に係る被り面は、所定形状のシート材を折り曲げて立体形状に形成されるとともに着用者の頭部の上側を覆うように装着する上側装着部と、所定形状のシート材を折り曲げて立体形状に形成されるとともに着用者の顔部の下側を覆うように装着する下側装着部と、前記上側装着部及び前記下側装着部の左右後端側にそれぞれ設けられるとともに前記上側装着部に前記下側装着部を回動自在に取り付ける一対の軸支部とを備えている。さらに、前記上側装着部は、前記シート材を中央部分の折れ線で左右対称に折り曲げて、前頭部の前側に左右両側から突出するように上側前面部が形成されており、前記上側前面部の後端側には折れ線で折り曲げて側頭部に当接する上側側面部が形成されており、前記上側側面部の後端側には折れ線で折り曲げて三角形状の上側取付部が形成されており、前記上側取付部の後端側には折れ線で折り曲げて後頭部に当接する上側後面部が形成されている。さらに、前記下側装着部は、前記シート材を中央部分の折れ線で左右対称に折り曲げて下顎部の前側に左右両側から突出するように下側前面部が形成されており、前記下側前面部の後端側には折れ線で折り曲げて耳部に当接する下側側面部が形成されており、前記下側側面部の後端側には折れ線で折り曲げて三角形状の下側取付部が形成されている。さらに、前記軸支部は、前記上側取付部及び前記下側取付部を重ね合わせて取り付けられた軸支ピンを備えている。さらに、前記下側取付部の後端側には折れ線で折り曲げて前記上側後面部に当接する突出面部が形成されている。
【考案の効果】
【０００８】
本考案は、上記のような構成を有することにより、少ない部材数で組み立てることができ、組み立てに使用した切り込みや部材間の切れ目が見えない良好な外観を呈するようになる。
【図面の簡単な説明】
【０００９】
【図１】被り面に関する斜視図である。
【図２】被り面に関する正面図である。
【図３】被り面に関する背面図である。
【図４】被り面に関する側面図である。
【図５】被り面に関する平面図である。
【図６】被り面の使用状態を示す斜視図である。
【図７】被り面に関する展開図である。
【図８】下側装着部を上方に回動させた状態を示す側面図である。
【考案を実施するための形態】
【００１０】
以下、本考案に係る実施形態について詳しく説明する。なお、以下に説明する実施形態は、本考案を実施するにあたって好ましい具体例であるから、技術的に種々の限定がなされているが、本考案は、以下の説明において特に本考案を限定する旨明記されていない限り、これらの形態に限定されるものではない。
【００１１】
図１は、被り面に関する斜視図であり、図２〜図５は、被り面に関する正面図、背面図、側面図及び平面図をそれぞれ示している。また、図６は、被り面を装着した状態を示す斜視図である。
【００１２】
被り面は、所定形状のシート材を折り曲げて立体形状に形成されるとともに着用者の頭部の上側を覆うように装着する上側装着部１と、所定形状のシート材を折り曲げて立体形状に形成されるとともに着用者の顔部の下側を覆うように装着する下側装着部２と、上側装着部１及び下側装着部２の左右後端側にそれぞれ設けられるとともに上側装着部１に下側装着部２を回動自在に取り付ける一対の軸支部３とを備えている。この例では、上側装着部１及び下側装着部２を折り曲げて恐竜をモチーフとしたキャラクタに対応した立体形状のデザインとなっている。
【００１３】
図６に示すように、上側装着部１を頭部を覆うように装着し、下側装着部２を下顎を覆うように装着することで、上側装着部１と下側装着部２との間に顔部が露出するように装着することができる。そして、下側装着部２を上下動させることができるので、露出する顔の部分を使用状況に応じて変化させることが可能となり、趣向性を高めることができる。
【００１４】
図７は、上側装着部１及び下側装着部２を展開した展開図である。上側装着部１は、所定形状のシート材を中央部分の折れ線１０で左右対称に折り曲げて、前頭部の前側に左右両側から突出するように上側前面部１１ａ及び１１ｂが形成されている。
【００１５】
上側前面部１１ａ及び１１ｂには、それぞれの下端側には鋸歯状の凹凸部１１ｃ及び１１ｄが形成されており、それぞれの上端側には折れ線１２ａ及び１２ｂで折り曲げて頭頂部に当接する上面部１３ａ及び１３ｂが形成されている。上面部１３ａ及び１３ｂの対向する内側端部には、それぞれ係合凸部１３ｃ及び係合凹部１３ｄが形成されており、係合凸部１３ｃを係合凹部１３ｄに差し込んで係合させることで、上面部１３ａ及び１３ｂはほぼ面一に形成されるようになり、上面部１３ａ及び１３ｂを頭頂部にしっかりと当接させることができる。
【００１６】
上側前面部１１ａ及び１１ｂのそれぞれの後端側には折れ線１４ａ及び１４ｂで折り曲げて側頭部に当接する上側側面部１５ａ及び１５ｂが形成されている。上側側面部１５ａ及び１５ｂのそれぞれの後端側には折れ線１６ａ及び１６ｂで折り曲げて三角形状の上側取付部１７ａ及び１７ｂが形成されており、上側取付部１７ａ及び１７ｂのそれぞれの後端側には折れ線１８ａ及び１８ｂで折り曲げて後頭部に当接する上側後面部１９ａ及び１９ｂが形成されている。上側後面部１９ａ及び１９ｂのそれぞれの後端側には連結部１９ｃ及び１９ｄが形成されている。連結部１９ｃ及び１９ｄには、ゴムチューブ等の連結手段を引っ掛ける切欠き部が形成されており、連結部１９ａ及び１９ｂの間を連結手段により繋ぐことで上側装着部１を頭部に当接させた状態でしっかりと装着することができる。
【００１７】
下側装着部２は、所定形状のシート材を中央部分の折れ線２０で左右対称に折り曲げて、下顎部の前側に左右両側から突出するように下側前面部２１ａ及び２１ｂが形成されている。下側前面部２１ａ及び２１ｂのそれぞれの上端側には鋸歯状の凹凸部２１ｃ及び２１ｄが形成されている。
【００１８】
下側前面部２１ａ及び２１ｂのそれぞれの後端側には折れ線２２ａ及び２２ｂで折り曲げて耳部に当接する下側側面部２３ａ及び２３ｂが形成されている。下側側面部２３ａ及び２３ｂのそれぞれの中央部分には円形の穴部２３ｃ及び２３ｄが形成されており、外部音の取入れ口となっている。
【００１９】
下側側面部２３ａ及び２３ｂのそれぞれの後端側には折れ線２４ａ及び２４ｂで折り曲げて三角形状の下側取付部２５ａ及び２５ｂが形成されており、下側取付部２５ａ及び２５ｂのそれぞれの後端側は折れ線２５ｃ及び２５ｄで折り曲げて上側後面部１９ａ及び１９ｂにそれぞれ当接する突出面部２５ｅ及び２５ｆが形成されている。
【００２０】
軸支部３は、上側取付部１７ａに穿設された取付穴３０ａと下側取付部２５ａに穿設された取付穴３１ａとを重ね合わせて軸支ピン３２ａが挿着されており、上側取付部１７ｂに穿設された取付穴３０ｂと下側取付部２５ｂに穿設された取付穴３１ｂとを重ね合わせて軸支ピン３２ｂが装着されている。そのため、下側装着部２は、上側装着部１に対して左右の軸支ピン３２ａ及び３２ｂを中心に回動して、下顎を動かすように上下動可能に取り付けられる。
【００２１】
図８は、下側装着部２を上方に回動させた状態を示す側面図である。図４に示す開口状態では、上側装着部１の上側取付部１７ａの下縁と下側装着部２の折れ線２４ａと一致し、上側装着部１の折れ線１８ａが下側装着部２の折れ線２５ｃと一致するように上側取付部１７ａ及び下側取付部２５ａが重なり合っている。上側取付部１７ｂ及び下側取付部２５ｂについても同じように重なり合うように設定されている。このように折れ線で折れ曲がった部分が重なり合っているので、安定した開口状態を保持することができる。
【００２２】
また、下側装着部２の後端側の突出面部２５ａ及び２５ｂが上側装着部１の連結部１９ｃ及び１９ｄの下縁に当接しているので、下側装着部２は下方への回動が規制されて所定の開口角度で保持されるようになる。
【００２３】
図８では、下側装着部２の上方への回動により、下側取付部２５ａ及び２５ｂが上側取付部１７ａ及び１７ｂとずれた位置に回動して、上側後面部１９ａ及び１９ｂに一部圧接するようになり、回動した位置に保持されるようになる。そのため、下側装着部２を上下動させて顔部の露出状態を変化させることができるようになる。
【００２４】
以上説明したように、上側装着部１及び下側装着部２は、それぞれ１枚のシートを折り曲げて立体形状に形成しているので、軽量化を図るとともに組み立てに使用した切り込みや部材間の切れ目が正面からは見えないようになり、良好な外観を呈するとともに強度を高めることができる。また、上側装着部１及び下側装着部２の後端側で軸支部３により回動可能に軸支するようにしているので、恐竜等のキャラクタが開口動作するイメージに近いイメージで下側装着部２を上下動させることが可能となり、より趣向性を高めることができる。
【符号の説明】
【００２５】
１・・・上側装着部、１０・・・折れ線、１１・・・上側前面部、１２・・・折れ線、１３・・・上面部、１４・・・折れ線、１５・・・上側側面部、１６・・・折れ線、１７・・・上側取付部、１８・・・折れ線、１９・・・上側後面部、２・・・下側装着部、２０・・・折れ線、２１・・・下側前面部、２２・・・折れ線、２３・・・下側側面部、２４・・・折れ線、２５・・・下側取付部、３・・・回動部、３０、３１・・・取付穴、３２・・・軸支ピン
【図１】
0003228098.tif 000003
【図２】
0003228098.tif 000004
【図３】
0003228098.tif 000005
【図４】
0003228098.tif 000006
【図５】
0003228098.tif 000007
【図６】
0003228098.tif 000008
【図７】
0003228098.tif 000009
【図８】
0003228098.tif 000010
【手続補正書】
【提出日】令和2年7月15日(2020.7.15)
【手続補正１】
【補正対象書類名】実用新案登録請求の範囲
【補正対象項目名】請求項３
【補正方法】変更
【補正の内容】
【請求項３】
前記下側装着部は、前記シート材を中央部分の折れ線で左右対称に折り曲げて下顎部の前側に左右両側から突出するように下側前面部が形成されており、前記下側前面部の後端側には折れ線で折り曲げて耳部に当接する下側側面部が形成されており、前記下側側面部の後端側には折れ線で折り曲げて三角形状の下側取付部が形成されている請求項２に記載の被り面。